(57)【要約】【課題】樹脂発泡体の表面に金属層を備えた断熱パネル等に、固定具取付用の凹部や曲面部等を容易に形成できる電磁誘導加熱ヘッド及び加工装置を提供する。【解決手段】耐熱性樹脂により形成された略円形のヘッド本体１２の内側に、誘導コイル３０を設けて電磁誘導加熱ヘッド１０を形成する。前記誘導コイル３０に電流を流した状態で、断熱パネル４０にヘッド本体１２を接触させると、表面の金属層４４Ａが電磁誘導により発熱する。そして、発熱した金属層４４Ａによって発泡体４２が溶融して厚みが薄くなるとともに、発熱した金属層４４Ａ自体も凹んだ発泡体４２に沿うように変形する。このため、固定具５０を取り付けるための厚みの薄い凹部４６を、他の部材を用いることなく容易に形成できる。また、取手２０を設けたハンディタイプとすることで、凹部４６の形成位置の変更や、凹部４６の深さの調整も容易である。【選択図】図２
2015228323.tif 000002
【特許請求の範囲】
【請求項１】
加工対象を加熱して所望の加工を施すための電磁誘導加熱ヘッドであって、
前記加工対象に接触させるヘッド本体と、
前記加工対象に接触させる部分に相当する範囲内で、前記ヘッド本体の内側に設けられた誘導コイルと、
を備えたことを特徴とする電磁誘導加熱ヘッド。
【請求項２】
前記ヘッド本体は、前記加工対象に接触させる部分にテーパーないし曲面形状を有することを特徴とする請求項１記載の電磁誘導加熱ヘッド。
【請求項３】
前記加工対象が、金属板又は金属層を表面に有する積層板であるときに、
前記ヘッド本体を耐熱性樹脂により形成し、
該ヘッド本体との接触により、前記加工対象に凹部若しくは穴を形成し、又は前記加工対象を軟化し若しくは曲げ加工することを特徴とする請求項１又は２記載の電磁誘導加熱ヘッド。
【請求項４】
前記加工対象が、樹脂製の発泡体の表面に金属層が設けられた断熱パネルであるときに、
前記ヘッド本体の前記金属層に接触させる部分の平面形状が略円形であって、
該ヘッド本体と前記金属層の接触により、前記断熱パネルに、固定具取付用の凹部を形成することを特徴とする請求項３記載の電磁誘導加熱ヘッド。
【請求項５】
前記断熱パネルの金属層が、アルミ箔であることを特徴とする請求項４記載の電磁誘導加熱ヘッド。
【請求項６】
前記加工対象が金属を含まないときに、
前記ヘッド本体を耐熱性樹脂により形成するとともに、
該ヘッド本体の表面側に、前記加工対象に接触させる範囲で金属層を設け、
前記ヘッド本体との接触により、前記加工対象に凹部若しくは穴を形成し、前記加工対象を軟化し若しくは曲げ加工し、又は前記加工対象を接着剤により他の部材に接着することを特徴とする請求項１又は２記載の電磁誘導加熱ヘッド。
【請求項７】
前記ヘッド本体が、前記加工対象と接触させる部分と前記誘導コイルとの間に、冷却手段を備えたことを特徴とする請求項１〜６のいずれか一項に記載の電磁誘導加熱ヘッド。
【請求項８】
前記ヘッド本体に操作用の取手を設けたことを特徴とする請求項１〜７のいずれか一項に記載の電磁誘導加熱ヘッド。
【請求項９】
請求項１〜７のいずれか一項に記載の電磁誘導加熱ヘッドが、少なくとも１つ以上、固定ベースに着脱可能に取り付けられたことを特徴とする加工装置。
【請求項１０】
回転可能かつ軸方向に往復可能な主軸と、
該主軸の一端に設けられており、請求項１〜７のいずれか一項に記載の電磁誘導加熱ヘッドと、
該電磁誘導加熱ヘッド以外の工具とが、それぞれ１つ以上取り付けられた主軸ヘッドと、
を備えており、
前記主軸ヘッドが、耐熱性樹脂により形成されていることを特徴とする加工装置。
【請求項１１】
請求項１〜８のいずれか一項に記載の電磁誘導加熱ヘッドと、
該電磁誘導加熱ヘッドによる加熱により軟化した加工材料にプレス加工を行うプレス機と、
を備えたことを特徴とする加工装置。
【発明の詳細な説明】
【技術分野】
【０００１】
本発明は、電磁誘導加熱ヘッド及び加工装置に関し、更に具体的には、樹脂発泡体の表面に金属層を備えた断熱パネル等の加工用の電磁誘導加熱ヘッド及び加工装置に関するものである。
【背景技術】
【０００２】
例えば、建築材料として用いられる断熱パネルは、樹脂発泡体の表面に、アルミニウムなどの金属層を設けた構造となっている。下記特許文献１には、フェノール樹脂発泡体からなる板状の芯材と、アルミ箔からなる表面材とを備えた断熱不燃パネルが記載されている。このような断熱パネルは、固定側の下地材やフレームなどに、ボルトや釘などの固定具を用いて取り付けられる。このとき、断熱パネルに何ら細工をしておかないと、固定具の頭部が断熱パネルの表面から突出してしまい、後の工程に支障を生じるおそれがある。また、断熱パネルが厚みのあるものである場合には、固定具が、固定側部材に届くように、固定具を設ける位置の断熱パネルの厚みを薄くしておく必要がある。
【０００３】
下記特許文献２には、表面材として金属層を用いた上記の構造とは異なるが、ボルト取付構造を有する複合パネルが開示されている。当該文献に開示されたボルト取付構造は、複合パネルの表面層に対して垂直方向に形成されたブッシュ取付穴と、該ブッシュ取付穴に取り付けられたブッシュ部材とを備えている。そして、前記ブッシュ部材は、ボルト頭を受けると共にボルト軸が貫通可能なボルト穴が形成されたボルト座面部を有することが開示されている。
【先行技術文献】
【特許文献】
【０００４】
【特許文献１】特開２００２−３３９４７２号公報
【特許文献２】特開２００８−５１２２４号公報
【発明の概要】
【発明が解決しようとする課題】
【０００５】
しかしながら、前記特許文献２のボルト取付構造は、複合パネルにブッシュ取付穴をあける工程と、該ブッシュ取付穴にブッシュ部材を取り付ける工程が必要となるほか、前記ブッシュ部材をボルトとは別に用意しなければならない。また、前記ブッシュ取付構造を一旦形成してしまうと、その部分には複合パネルを貫通する穴が形成されることになるため、ボルトの取付位置の変更に対応できないという不都合もある。そこで、樹脂製の発泡体の表面に金属層を備えた断熱パネルに、固定具取付用の凹部を容易に形成でき、該凹部の位置変更や深さ調整にも対応可能な断熱パネルの加工を行うことができれば都合がよい。更に、前記金属層を備えた断熱パネルのみならず、木材や合板、樹脂板などの加工にも利用できれば、多目的に使用することができる。
【０００６】
本発明は、以上のような点に着目したもので、断熱パネル等の加工対象に、凹部の形成や曲面加工等を容易に行うことができ、その加工部分の位置変更や形状・深さの調整等にも対応可能な電磁誘導加熱ヘッドを提供することを、その目的とする。他の目的は、前記電磁誘導加熱ヘッドを利用した加工装置を提供することである。
【課題を解決するための手段】
【０００７】
本発明は、加工対象を加熱して所望の加工を施すための電磁誘導加熱ヘッドであって、前記加工対象に接触させるヘッド本体と、前記加工対象に接触させる部分に相当する範囲内で、前記ヘッド本体の内側に設けられた誘導コイルと、を備えたことを特徴とする。主要な形態の一つは、前記ヘッド本体は、前記加工対象に接触させる部分にテーパーないし曲面形状を有することを特徴とする。
【０００８】
他の形態は、前記加工対象が、金属板又は金属層を表面に有する積層板であるときに、前記ヘッド本体を耐熱性樹脂により形成し、該ヘッド本体との接触により、前記加工対象に凹部若しくは穴を形成し、又は前記加工対象を軟化し若しくは曲げ加工することを特徴とする。更に他の形態は、前記加工対象が、樹脂製の発泡体の表面に金属層が設けられた断熱パネルであるときに、前記ヘッド本体の前記金属層に接触させる部分の平面形状が略円形であって、該ヘッド本体と前記金属層の接触により、前記断熱パネルに、固定具取付用の凹部を形成することを特徴とする。更に他の形態は、前記断熱パネルの金属層が、アルミ箔であることを特徴とする。
【０００９】
更に他の形態は、前記加工対象が金属を含まないときに、前記ヘッド本体を耐熱性樹脂により形成するとともに、該ヘッド本体の表面側に、前記加工対象に接触させる範囲で金属層を設け、前記ヘッド本体との接触により、前記加工対象に凹部若しくは穴を形成し、前記加工対象を軟化し若しくは曲げ加工し、又は前記加工対象を接着剤により他の部材に接着することを特徴とする。更に他の形態は、前記ヘッド本体が、前記加工対象と接触させる部分と前記誘導コイルとの間に、冷却手段を備えたことを特徴とする。更に他の形態は、前記ヘッド本体に操作用の取手を設けたことを特徴とする。
【００１０】
本発明の加工装置は、請求項１〜７のいずれか一項に記載の電磁誘導加熱ヘッドが、少なくとも１つ以上、固定ベースに着脱可能に取り付けられたことを特徴とする。他の発明の加工装置は、回転可能かつ軸方向に往復可能な主軸と、該主軸の一端に設けられており、請求項１〜７のいずれか一項に記載の電磁誘導加熱ヘッドと、該電磁誘導加熱ヘッド以外の工具とが、それぞれ１つ以上取り付けられた主軸ヘッドと、を備えており、前記主軸ヘッドが、耐熱性樹脂により形成されていることを特徴とする。更に他の発明の加工装置は、請求項１〜８のいずれか一項に記載の電磁誘導加熱ヘッドと、該電磁誘導加熱ヘッドによる加熱により軟化した加工材料にプレス加工を行うプレス機と、を備えたことを特徴とする。本発明の前記及び他の目的，特徴，利点は、以下の詳細な説明及び添付図面から明瞭になろう。
【発明の効果】
【００１１】
本発明によれば、加工対象に接触させるヘッド本体の内側に、前記加工対象に接触させる部分に相当する範囲で誘導コイルを設けて電磁誘導加熱ヘッドを形成することとした。そして、電磁誘導加熱ヘッドを用い、前記誘導コイルに電流を流した状態で、加工対象に前記ヘッド本体を接触させると、該ヘッド本体の形状に沿って加工対象が変形するので、ボルト等の固定具を取り付けるための厚みの薄い凹部を、他の部材を用いることなく、容易に形成することができる。また、前記凹部の形成のみならず、加工対象への穴の形成，加工対象の軟化若しくは曲げ加工，あるいは、加工対象を接着剤を介して他の部材に接着するなどの各種の加工が可能となる。
【００１２】
更に、前記電磁誘導加熱ヘッドを用いて加工装置を形成することで、次のような効果がある。
(1)複数の電磁誘導加熱ヘッドを固定ベースに脱着可能に固定することで、加工の目的に対応してヘッドの交換が可能となる。
(2)回転可能かつ軸方向に往復駆動可能な主軸の先端に、前記電磁誘導加熱ヘッド及び他の工具を取り付けた主軸ヘッドを設けることで、凹部形成又は曲面加工に加え、穴開け加工などの他の加工を１つの加工装置で行うことが可能となる。
(3)電磁誘導加熱ヘッドによる加熱により軟化した加工材料を、プレス機によってプレス加工することで、大量生産にも対応可能となる。
【図面の簡単な説明】
【００１３】
【図１】本発明の電磁誘導加熱ヘッドを示す図であり、(A)は実施例１の外観斜視図，(B)は前記(A)を矢印ＦＡ方向から見た平面図，(C)は前記実施例１の誘導コイルの配置を示す断面図，(D)及び(E)は変形例を示す断面図である。
【図２】前記実施例１の電磁誘導加熱ヘッドを利用した断熱パネルの加工例を示す断面図である。
【図３】本発明の実施例２の加工装置の主要部を示す外観斜視図である。
【図４】前記実施例２の変形例及びそれを利用した加工工程の一例を示す図である。
【図５】本発明の実施例３の加工装置の主要部を示す外観斜視図である。
【図６】本発明の実施例４の電磁誘導加熱ヘッドとそれを利用した曲面加工を示す図である。
【図７】本発明の実施例５の加工装置による曲面加工を示す図である。
【図８】本発明の実施例６の電磁誘導加熱ヘッドを利用した加工工程の一例を示す図である。
【図９】本発明の実施例７の加工装置による曲面加工を示す図である。
【図１０】本発明の実施例８を示す断面図である。
【図１１】本発明の実施例９を示す図である。
【図１２】本発明の実施例１０を示す図である。
【図１３】本発明の実施例１１を示す図である。
【発明を実施するための形態】
【００１４】
以下、本発明を実施するための最良の形態を、実施例に基づいて詳細に説明する。
【実施例１】
【００１５】
最初に、図１及び図２を参照しながら本発明の実施例１を説明する。本発明は、様々な加工対象への凹部や穴の形成，加工対象の軟化や曲面加工等に適用可能であるが、本実施例は、積層構造を有する断熱パネルに、ボルト等の固定用金具を取り付けるための凹部形成に本発明の電磁誘導加熱ヘッドを適用した例である。図１(A)は実施例１の電磁誘導加熱ヘッドの外観斜視図，図１(B)は前記(A)を矢印ＦＡ方向から見た平面図，図１(C)は本実施例の誘導コイルの配置を示す断面図，図１(D)及び(E)は変形例である。図２は、本実施例の電磁誘導加熱ヘッドを利用した断熱パネルの加工例を示す断面図である。
【００１６】
本発明の電磁誘導加熱ヘッド１０は、図２(D)に示すように、断熱パネル４０を、固定側部材６０に取り付ける固定具５０のための凹部４６を形成するものである。前記断熱パネル４０は、樹脂製の発泡体４２の両主面に金属層４４Ａ，４４Ｂが設けられた公知の構成となっており、例えば、建築材料等として利用される。本実施例では、前記金属層４４Ａ，４４Ｂはアルミ箔である。
【００１７】
図１(A)に示すように、電磁誘導加熱ヘッド１０は、ヘッド本体１２の底面１８側に、操作用の取手２０が設けられた構成となっている。前記ヘッド本体１２は、耐熱性樹脂により形成されており、断熱パネル４０に接触させる部分の平面形状（すなわち、図１(A)の矢印ＦＡ方向から見た平面形状）が、図１(B)に示すように略円形となっている。また、前記断熱パネル４０に接触させる部分は、図１(A)に示すように、平面部１４とテーパー部１６を有している。そして、前記ヘッド本体１２の内部には、図１(B)に示すように、誘導コイル３０が渦巻き状に配置されている。本実施例では、図１(C)に示すように、前記誘導コイル３０は、前記平面部１４からテーパー部１６にかけて、ヘッド本体１２の内面に沿うように形成されている。
【００１８】
前記誘導コイル３０の端部３０Ａ，３０Ｂには、リード線３２Ａ，３２Ｂが接続されている。前記リード線３２Ａ，３２Ｂは、コード３４としてまとめられ、前記底面１８から引き出され、高周波電流を供給するための図示しない電源に接続されている。該誘導コイル３０に電流を流すと強力な磁場が発生するので、その近くに配置された金属は、電磁誘導により渦電流が発生し、抵抗により金属が発熱する。この原理は、電磁誘導加熱として公知である。
【００１９】
次に、図２を参照して、本実施例の電磁誘導加熱ヘッド１０を利用した断熱パネル４０の加工手順を説明する。図２(A-1)に示すように、断熱パネル４０は、樹脂製の発泡体４２の両主面に金属層４４Ａ，４４Ｂを形成した構成となっており、本実施例では、前記金属層４４Ａ側に加工を施して、固定具取付用の凹部４６を形成するものとする。電磁誘導加熱ヘッド１０の誘導コイル３０に、図示しない電源から高周波電流を供給した状態で、図２(B-1)に示すように、ヘッド本体１２を金属層４４Ａ側に押し当てると、電磁誘導により金属層４４Ａが発熱し、該金属層４４Ａの発熱によって樹脂製の発泡体４２が溶融して空気層が潰れ、厚みが薄くなる。同時に、金属層４４Ａ自体も発熱によって変形し、薄くなった発泡体４２の表面に沿うように変形し、凹部４６が形成される。
【００２０】
この際、ヘッド本体１２の平面形状が略円形となるように形成し、かつ、平面部１４に続けてテーパー部１６が形成された形状としたので、断熱パネル４０に形成される凹部４６にも、平面部４６Ａとテーパー部４６Ｂが形成されることなる。前記凹部４６の深さは、固定具５０の頭部５２が断熱パネル４０の表面から突出しない程度の深さとする。次に、図２(C-1)に示すように、前記凹部４６の平面部４６Ｂに、ドリルなどの工具で穴４８を開ける。そして、図２(D)に示すように、断熱パネル４０と固定側部材６０の位置を合せ、固定具５０の軸部５４が前記穴４８を貫通して固定側部材６０に食い込むよう、頭部５２が平面部４６Ａに当接するまで固定具５０を捻じ込み、断熱パネル４０を固定側部材６０に取り付ける。このとき、凹部４６にもテーパー部４６Ｂが形成されるため、穴４８の形成作業や、固定具５０の取付作業等を行いやすい。
【００２１】
また、前記図２(A-1)〜(C-1)に示す工程例では、断熱パネル４０に凹部４６を形成してから穴４８を形成することとしたが、穴４８を先に形成するようにしてもよい。例えば、図２(A-2)に示すように、断熱パネル４０の所定の位置にドリルなどの工具で穴４８を空けておき、次に、前記電磁誘導加熱ヘッド１０の誘導コイル３０に、図示しない電源から高周波電流を供給した状態で、図２(B-2)に示すように、前記穴４８の位置に合わせてヘッド本体１２を金属層４４Ａ側に押し当てる。すると、電磁誘導により金属層４４Ａが発熱し、該金属層４４Ａの発熱によって樹脂製の発泡体４２が溶融して空気層が潰れ、厚みが薄くなる。同時に、金属層４４Ａ自体も発熱によって変形し、薄くなった発泡体４２の表面に沿うように変形し、図２(C-2)に示すように凹部４６が形成される。
【００２２】
このように、実施例１によれば、次のような効果がある。
(1)耐熱性樹脂により形成された略円形のヘッド本体１２の内側に、誘導コイル３０を設けて電磁誘導加熱ヘッド１０を形成することとした。このため、前記誘導コイル３０に電流を流した状態で、発泡体４２の表面に金属層４４Ａ，４４Ｂが設けられた断熱パネル４０に前記ヘッド本体１２を接触させると、前記金属層が電磁誘導により発熱する。そして、発熱した金属層によって発泡体４４が溶融して厚みが薄くなるとともに、発熱した金属層自体も凹んだ発泡体に沿うよう変形するので、ボルト等の固定具を取り付けるための厚みの薄い加工部を、他の部材を用いることなく、容易に形成することができる。
【００２３】
(2)前記ヘッド本体１２にテーパー部１６を設けることで、断熱パネル４０に形成される凹部４６にもテーパー部４６Ｂが形成されるため、穴４８の形成作業や、固定具５０の取付作業等を行いやすい。
(3)凹部４６を形成した後に穴４８を形成する場合には、穴４８を形成する前であれば、凹部４６を別の位置に形成し直して使用することもできる。すなわち、凹部４６は、断熱パネル４０を貫通するものではないので、位置変更にも対応可能である。
(4)本実施例では、ヘッド本体１２に取手２０を設けたハンディタイプとしたので、断熱パネル４０の任意の位置に凹部４６を形成することができる。また、ヘッド本体１２の押し付け加減により、断熱パネル４０の厚さ等に応じて凹部４６の深さの調整も容易である。
【実施例２】
【００２４】
次に、図３及び図４を参照しながら本発明の実施例２を説明する。なお、上述した実施例１と同一ないし対応する構成要素には、同一の符号を用いることとする（以下の実施例についても同様）。実施例２は、前記実施例１の電磁誘導加熱ヘッド１０のヘッド本体１２を利用した加工装置である。図３には、本実施例の加工装置１００の主要部の外観斜視図が示されている。前記加工装置１００は、回転可能かつ軸方向に往復駆動可能な主軸１０２の先端に、主軸ヘッド１０４を備えている。該主軸ヘッド１０４には、軸１０６を介して、前記実施例１と同様のヘッド本体１２が設けられている。また、前記主軸ヘッド１０４には、前記ヘッド本体１２のほか、他の工具であるドリル１０８，１１０が設けられている。ドリル１０８，１１０は、先端の形状や寸法が異なるものである。これらヘッド本体１２，ドリル１０８及び１１０は、主軸ヘッド１０４に対して着脱可能に取り付けられており、必要に応じて他の寸法や形状のものに交換可能である。前記主軸ヘッド１０４は、前記ヘッド本体１２の電磁誘導加熱により加熱されないように、耐熱性樹脂により形成されている。このように、電磁誘導加熱用のヘッド本体１２と、穴開け加工用のドリル１０８，１１０を設けることにより、１つの加工装置１００で、前記実施例１で示した凹部形成及び穴開け加工の双方を行うことができる。
【００２５】
図４には、本実施例の変形例の加工装置１００Ａと、該加工装置１００Ａを用いた凹部形成及び穴開け加工の様子が示されている。図４(A)に示すように、加工装置１００Ａは、主軸ヘッド１０４に、電磁誘導加熱用の４つのヘッド本体１２Ａ〜１２Ｄと、ドリル１１０Ａ，１１０Ｂが設けられている。ヘッド本体１２Ａ〜１２Ｄは、全て同一のものであり、ドリル１１０Ａと１１０Ｂも同一のものである。まず、図４(B)に示す状態から、主軸ヘッド１０４を下降させ、図４(C)に示すように、ドリル１１０Ａ，１１０Ｂによって断熱パネル４０に穴４８Ａ，４８Ｂを形成する。そして、主軸ヘッド１０４を上昇させてから、主軸１０２及び主軸ヘッド１０４を図４(D)に矢印Ｆ２で示すように回転させ、ヘッド本体１２Ａ，１２Ｃを、穴４８Ａ，４８Ｂの位置に合わせる。また、この状態において、前記ドリル１１０Ａ，１１０Ｂは、断熱パネル４０に接しない位置となる。
【００２６】
そして、ヘッド本体１２Ａ，１２Ｃ内の誘導コイルに、図示しない電源から高周波電流を供給した状態で、ヘッド本体１２Ａ，１２Ｃを、断熱パネル４０の金属層４４Ａ側に押し当てる。すると、電磁誘導により金属層４４Ａが発熱し、上述した実施例１と同様の作用により、断熱パネル４０が変形し、図４(D)に示すように凹部４７Ａ，４７Ｂが形成される。なお、この場合も、前記実施例１と同様に先にヘッド１２Ａ〜１２Ｄで凹部４７Ａ，４７Ｂを形成してから、ドリル１１０Ａ，１１０Ｂで穴４８Ａ，４８Ｂを形成するようにしてもよい。このように、１つの主軸ヘッド１０４に複数の電磁誘導加熱用のヘッド本体１２Ａ〜１２Ｄとともに、ドリル１１０Ａ，１１０Ｂを設けることで、同時に複数箇所の穴開け及び凹み加工を行うことができるため、効率的な加工が可能になる。
【実施例３】
【００２７】
次に、図５を参照しながら本発明の実施例３を説明する。本実施例は、前記実施例１の電磁誘導加熱ヘッド１０のヘッド本体１２を利用した加工装置である。本実施例の加工装置１５０は、主軸１５２の先端に固定ベース１５４を備えている。該固定ベース１５４には、軸１５６を介して、前記実施例１と同様のヘッド本体１２が設けられている。前記軸１５６とヘッド本体１２は複数設けられる（図示の例では３つ）。前記ヘッド本体１２は、軸１５６に対して着脱可能となっており、加工の目的に応じて、異なる形態のヘッド本体に交換したり、任意の箇所の軸１５６にのみヘッド本体を装着したりして適宜加工を行うことができる。むろん、図５に示した例も一例であり、軸１５６を介した取付も一例であって、同様の効果を奏するように、固定ベース１５４にヘッド本体１２を着脱できるようにしてよいし、ヘッド本体１２を装着する位置や数も必要に応じて適宜変更してよい。なお、本実施例においても、前記実施例２と同様に、主軸１５２が回転可能であってもよいし、軸方向に進退可能な構成であってもよい。また、固定ベース１５４に装着できるヘッド本体１２は１つとし、加工の目的に応じて他の形態のヘッド本体に交換するようにしてもよい。
【実施例４】
【００２８】
次に、図６を参照しながら本発明の実施例４について説明する。前記実施例１では、加工対象として金属層４４Ａ，４４Ｂを表裏に備えた断熱パネル４０を用いることとしたが、本発明の電磁誘導加熱ヘッドは、それ以外の加工対象にも適用可能である。例えば、図６に示す電磁誘導加熱ヘッド２００は、受型２２０とともに使用することで、加工対象２３０に曲面加工を施すためのものである。前記電磁誘導加熱ヘッド２００は、軸方向に昇降可能な軸２０２の先端にヘッド本体２０４が設けられており、該ヘッド本体２０４には、加工対象に接触させる側に曲面２０６が形成されている。また、ヘッド本体２０４の内部には、加工対象２３０に接触する範囲内で誘導コイル２０８が設けられている。前記加工対象２３０は、図示の例では、ベースとなる基板２３２の表裏に表面板２３４Ａ，２３４Ｂが設けられた構造となっている。この表面板２３４Ａ，２３４Ｂが金属板の場合は、前記実施例１と同様に、ヘッド本体２０４は耐熱性樹脂により形成すればよいが、表面板２３４Ａ，２３４Ｂが樹脂板の場合には、ヘッド本体２０４の曲面部分２０６の表面に図６(A)に点線で示すように金属層２１０を設けることで、加熱により加工対象２３０を変形させることができる
【００２９】
一方、前記受型２２０は、前記ヘッド本体２０４を受けて、該ヘッド本体２０４との間に加工対象２３０を挟み込むものであって、図示の例では、上面側に、前記ヘッド本体２０４の曲面２０６と略同一の曲面２２２が形成されている。なお、受型２２０の曲面２２２の形状は、どのような曲面加工を加工対象２３０に施すかによって任意に設計変更可能である。このような受型２２０の上に加工対象２３０を置き、前記電磁誘導加熱ヘッド２００のヘッド本体２０４を下降させて加工対象２３０をプレスすることにより、加工対象２３０を加熱して所望の曲面加工を施すことができる。また、前記受型２２０側にも、必要に応じて誘導コイル２２４や金属層２２６を設けるようにしてもよい。なお、図示の例では、前記加工対象２３０として積層構造のものを用いたが、単層構造の木材，樹脂板，金属板などの曲面加工を行うようにしてもよい。例えば、加工対象２３０として平板樹脂を用い、平板樹脂を経済寸法に切断してから、前記電磁誘導加熱ヘッドで二次成形するようにしてもよい。また、図示の例では、加工対象２３０の全体の曲げ加工を行うこととしたが、加工対象の一部に曲面加工を施すようにしてもよい。加工対象の一部に加工を施す例については、後述の実施例６で説明する。
【実施例５】
【００３０】
次に、図７を参照しながら本発明の実施例５について説明する。上述した実施例４では、電磁誘導加熱ヘッド２００が、加工対象２３０を加熱すると同時に圧力をかけて任意の曲線に加工する構成としたが、本実施例は、電磁誘導加熱による加工材料の加熱の後に、別途プレス工程を設けた例である。すなわち、本実施例の加工装置は、図７(A)に示す電磁誘導加熱ヘッド２５０と、図７(B)及び(C)に示すプレス機２７０により構成されている。前記電磁誘導加熱ヘッド２５０は、軸方向に昇降可能な軸２５２の先端にヘッド本体２５４が設けられており、該ヘッド本体２５４の内部には、加工対象２６０に接触する範囲内で誘導コイル２５６が設けられている。本実施例では、前記加工対象２６０として、例えば、水分を有する木質系板を用いている。このため、前記ヘッド本体２５４の表面側には、加工対象２６０と接触する範囲に金属層２５８が設けられている。前記電磁誘導加熱ヘッド２５０のヘッド本体２５４を下降させて加工対象２６０に接触させることにより、加工対象２６０を加熱して軟化する。
【００３１】
一方、前記プレス機２７０は、上型２７２と下型２８０により構成されている。前記上型２７２は、軸２７４の先端に接続されており、前記軸２７４の軸方向に昇降可能となっている。また、前記上型２７２は、加工対象２６０に接触させる側に曲面２７６が形成されている。前記下型２８０は、前記上型２７２を受けて、該上型２７２との間に加工対象２６０を挟み込むものであって、図示の例では、上面側に、前記上型２７２の曲面２７６と略同一の曲面２８２が形成されている。なお、下型２８０の曲面２８２の形状は、どのような曲面加工を加工対象２６０に施すかによって任意に設計変更可能である。このような下型２８０の上に、前記電磁誘導加熱ヘッド２５０で加熱した加工対象２６０を置き、前記上型２７２を下降させて加工対象２６０をプレスすることにより、所望の曲面加工を施すことができる。なお、本実施例では、プレス機２７０によって、加工対象２６０の全体に曲面加工を施すこととしたが、これも一例であり、一部の場所にのみ穴加工，溝加工，彫刻等を施すようにしてもよい。
【実施例６】
【００３２】
次に、図８を参照しながら本発明の実施例６を説明する。上述した実施例４では、電磁誘導加熱ヘッドによって、加工対象の全体に曲面加工を施すこととしたが、本実施例は、加工対象の一部をプレスして変形させる例である。図８(A-1)及び(B-1)は外観斜視図，図８(A-2)及び(B-2)は、前記(A-1)及び(B-1)の断面図である。本実施例で用いる加工対象３１０は、樹脂板であり、電磁誘導加熱ヘッド３００は、ヘッド本体３０２の内部に誘導コイル３０４を有するとともに、前記ヘッド本体３０２の表面側には、前記誘導コイル３０４が設けられた範囲に対応する位置に、金属層３０８が設けられている。また、ヘッド本体３０２の反対側には取手３０６が設けられている。なお、ヘッド本体３０２は、前記金属層３０８の発熱により変形することがないように、耐熱性樹脂により形成される。前記電磁誘導加熱ヘッド３００を加工対象３１０に押し当ててプレスすることにより、加工対象３１０を加熱してヘッド本体３０２の形状に沿って変化させ、図８(B-1)及び(B-2)に示すように、凹部３１２を形成することができる。従来、樹脂板のプレスはインジェクションにより行われているが、本発明によれば、電磁誘導加熱を利用して樹脂板のプレス加工を行うことが可能である。
【実施例７】
【００３３】
次に、図９を参照して、本発明の実施例７を説明する。本実施例は、前記実施例６の応用例である。すなわち、実施例６では、電磁誘導加熱ヘッド３００がプレスも行うこととしたが、本実施例では、図９(A)に示すように、電磁誘導加熱ヘッド３００を加工対象３１０に当てて加熱する事により、図９(B)に示すように、電磁誘導加熱ヘッド３００と接触した部分から、その周囲に熱が広がり、加工対象３１０の全体が加熱され軟化する。その後、図９(C)に示すように、任意のプレス機を用いて加工対象３１０の軟化部分３１４をプレス機３１６で加工することにより、同図に示すような彫刻３１８等を施すことができる。また、図示した彫刻は一例であって、穴加工や溝加工等を施すようにしてもよい。なお、本実施例及び前記実施例６では、加工対象３１０として樹脂板を用いたために、電磁誘導加熱ヘッド３００の表面に金属層３０８を設けたが、加工対象３１０が金属板である場合には、ヘッド本体３０２側の金属層３０８が不要であることは、上述した実施例１と同様である。
【実施例８】
【００３４】
次に、図１０を参照して、本発明の実施例８について説明する。本実施例の電磁誘導加熱ヘッドは、内部に強制的な冷却手段を備えた例である。図１０(A)に示す例では、ヘッド本体１２Ｇの内側に、誘導コイル３０を設置する支持部７０を設ける。該支持部７０とヘッド本体１２Ｇの平面部１４の間には、空間７４が設けられており、該空間７４にファン７６が設けられている。また、前記支持部７０には多数のスリット７２が設けられており、ヘッド本体１２Ｇの側面には排気口７８が設けられている。ヘッド本体１２Ｇを成形に使用した後、前記ファン７６を駆動させると、スリット７２及び排気口７８を介して排熱される。
【００３５】
また、図１０(B)に示すように、水を使用して冷却する構造としてもよい。具体的には、ヘッド本体１２Ｈの内側に前記スリット７２を備えた支持部７０を設けて誘導コイル３０を設ける。前記支持部７０と平面部１４の間の空間７４には、水などの冷却媒体の通路であるパイプ８０が例えば渦巻き状に設けられる。ヘッド本体１２Ｈを成形に使用した後、前記パイプ８０に水を流すと、空間７４内の空気が冷却され、ヘッド本体１２Ｈも冷却される。
【００３６】
例えば、上述した実施例４及び実施例６のように、電磁誘導加熱ヘッドを用いたプレスにより二次成形を行う場合に、本実施例のような空冷式あるいは水冷式のヘッド本体を用いることにより、加熱と冷却を適切なタイミングで行い、加工対象の素材の特性に応じた適切な条件で二次成形を行うことができる。むろん、空冷式と水冷式を併用するようにしてもよい。また、複数の空冷式あるいは水冷式のヘッド本体を最適条件で使用できるように、加工対象に合わせて制御する制御機構を設けるようにしてもよい。また、これら空冷式あるいは水冷式のヘッド本体を、加工対象に対応させて上下に配置して使用したり、左右に配置して使用したりしてもよいし、いずれかのヘッド本体を予備加熱用に用いるようにしてもよい。
【実施例９】
【００３７】
次に、図１１を参照しながら本発明の実施例９を説明する。本実施例は、本発明の電磁誘導加熱ヘッドによる加熱を利用して、畳を製造する例である。一般的な畳の厚みは、５０ｍｍ〜６０ｍｍである。その一方、フローリングの厚みは畳よりも相当に薄く、一般的には１０〜２０ｍｍ程度である。しかし、近年、バリアフリー住宅の需要が増しており、このようなバリアフリー住宅では、畳の面とフローリング材の表面の高さを同じにして、段差をなくす必要がある。このため、畳の厚さをフローリング材と同程度の厚みにする必要がある。本発明の電磁誘導加熱ヘッドは、このような薄い畳を製造する際にも適している。図１１(A)に示すように、畳３２０は、木材からなる芯材３２２の裏面に裏打３２４が設けられ、表面側には畳表３２６が設けられる。該畳表３２６は、芯材３２２及び裏打３２４の側面を覆い、裏打３２４側へ折り返される。前記畳表３２６は、例えば、繊維を圧着したもので、柔らかいものが用いられる。
【００３８】
このような畳３２０を製造するためには、まず、前記芯材３２２と裏打ち３２４を適宜貼り合わせておく。そして、図１１(B)に示すように、芯材３２２の表面と、裏打３２４の適宜位置に接着剤３２８（例えば、ホットメルト接着剤）を設けておき、ヘッド本体３０２の表面に金属層３０８を有する電磁誘導加熱ヘッド３００を用いて、畳表３２６の表面に接触させて加熱し、溶融した接着剤３２８によって畳表３２６と芯材３２２を接着する。次に、畳表３２２の縁を折り込み、裏打３２４側でも電磁誘導加熱ヘッド３００で加熱すると、接着剤３２８によって畳表３２６の縁と裏打３２４が接着される。本実施例によれば、畳を縫う必要がなく、簡単に薄い畳を製造することができる。このように、本発明の電磁誘導加熱ヘッドは、加工対象が金属でない場合には、接着剤を用いて他の部材との接着にも利用することができる。
【実施例１０】
【００３９】
次に、図１２を参照して本発明の実施例１０を説明する。本発明の電磁誘導加熱ヘッドは、上述した実施例１に示すように、加工対象の加工したい部分のみに接触させて加熱するようにしてもよいが、前記実施例９のように、複数箇所を加熱したい場合や、加工対象の全体を加熱したい場合には、ヘッド本体を移動させながら加熱するようにするとよい。例えば、図１２(A)に示す例では、略正方形の加工対象３３０の縁に沿って電磁誘導加熱ヘッド３００を移動させながら加熱する例である。また、図１２(B)に示すように、複数の電磁誘導加熱ヘッド３００Ａ，３００Ｂを用い、これら複数の電磁誘導加熱ヘッド３００Ａ，３００Ｂを、図１２(B)に矢印で示すように、同期して動かし、加熱効率を高めるようにしてもよい。なお、前記図１２(A)及び(B)に示した例は一例であり、加工対象の材質や形状，寸法等に応じ、電磁誘導加熱ヘッドの利用数や配置，移動経路は必要に応じて適宜変更してよい。
【実施例１１】
【００４０】
次に、図１３を参照しながら本発明の実施例１１を説明する。本実施例は、金属板等に金棒を固定するのに適した例である。本実施例では、加工対象が金属であるため、使用する電磁誘導加熱ヘッドは、例えば、実施例１の電磁誘導加熱ヘッド１０が用いられる。図１３(A)に示すように、加工対象３５０は、略Ｌ字状の金属プレートであって、金棒を取り付けたい位置に、前記電磁誘導加熱ヘッド１０を接触させて加熱する。すると、電磁誘導加熱ヘッド１０と接触した部分が発熱し軟化する。そこに、図１３(B)に示すように、同じ高さに突起３６２を有する金棒３６０を、軟化部分３５２に同図に矢印Ｆ１３で示すように挿しこむ。そして、加工対象３５０が冷却すると、金棒３６０と結合し、更に、金棒３６０には突起３６２が設けられているため抜けることがない。本実施例によれば、簡単な方法で安全に金属同士の結合ができるため、リベットの代わりに用いることができる。
【００４１】
また、本実施例では、加工対象３５０を軟化させて金棒３６０差し込むこととしたが、電磁誘導加熱ヘッド１０によって、加工対象３５０に穴を開けてから金棒３６０を差し込むようにしてもよい。むろん、このようなインサート金物の挿入のみならず、本発明は、金属板の軟化した部位に金属を圧入して接合し金属板の接合を行うようにしてもよいし、軟化した部分にプレス加工などの各種加工を施して金属板の二次加工を行ったりしてもよい。
【００４２】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。材質についても同様に、前記実施例１では、金属層４４Ａ，４４Ｂとしてアルミ箔を用いることとしたが、他の公知の各種の金属を用いてもよい。また、ヘッド本体としても、ワークの素材に応じて適宜変更可能であるが、加圧しながら加工する場合には、加圧する圧力に耐え得る強度を有するものを使用することができる。
(2)前記実施例１では、ヘッド本体１２に平面部１４とテーパー部１６を設けることとしたが、これも一例であり、テーパー部１６は必要に応じて設けるようにしてもよいし、テーパーの傾斜具合も適宜変更可能であり、図１(D)に示すヘッド本体１２Ｅのように、曲面部１７を設けるようにしてもよい。また、ヘッド本体１２内での誘導コイル３０の配置についても、図１(C)に示すようにテーパー部１６の内面に沿って設けるほか、図１(D)に示すヘッド本体１２Ｆのように、平面部１４に相当する部分に厚みを設け、誘導コイル３０が同一平面上で渦巻きを形成するようにしてもよい。更に、用途に応じて、図１(E)に示すヘッド本体１２Ｆのように、テーパー部を有しない構成としてもよい。
【００４３】
(3)前記実施例１では、ヘッド本体１２に取手２０を設けたハンディタイプとしたが、これも一例であり、実施例２に示すようにヘッド本体１２を加工装置等に設けるようにしてもよい。
(4)前記実施例１で示した電源との接続形態も一例であり、同様の効果を奏するように適宜設計変更してよい。また、電磁誘導加熱ヘッド自体が電源を備えた構成としてもよい。
(5)前記断熱パネル４０は、建築材料として利用されるほか、他の公知の各種の用途に使用するものであってもよい。また、前記断熱パネル４０は、断熱以外の目的（例えば、防湿や遮音など）のために使用することを妨げるものではない。
【００４４】
(6)前記実施例２で示したドリル１０８，１１０も一例であり、他の公知の各種の工具を主軸ヘッド１０４に設けるようにしてもよい。また、主軸ヘッド１０４に設ける電磁誘導加熱ヘッドのヘッド本体１２の数や、他の工具の数や位置も、必要に応じて適宜変更してよい。また、実施例２で示した加工装置１００によって加工を行う対象も、断熱パネル４０に限定されるものではなく、他の公知の各種の加工対象に対して凹み加工や曲面加工を行うために使用してもよい。
(7)実施例３で示した電磁誘導加熱ヘッド２００のヘッド本体２０４の曲面２０６や、受型２２０の曲面２２２の形状も一例であり、必要に応じて適宜設計変更可能である。
【００４５】
(8)本発明の電磁誘導加熱ヘッド及び加工装置は、金属層を備えた断熱パネルの凹み加工又は曲面加工が好適な加工対象であるが、これに限定されるものではなく、他の公知の各種加工対象に対して凹み加工や曲面加工を行う際に適用可能である。例えば、木材（薄板、べニア等の積層材等の素材）、樹脂（樹脂、成形品、塗料、接着剤、粉末等の素材）、金属（加熱することにより軟化する金属等の素材）、実施例９に示したような畳表３２６等の繊維品等に対しても、本発明は適用可能である。また、例えば、靴，鞄，雑貨類等に、リボン，イニシャル，ロゴなどの装飾類をつけたり、修理をしたりする際に、本発明を適用してもよい。例えば、靴であれば、前記リボン等の接着以外にも、靴底を本体に付けたり、靴の内側に布地を貼り付けたり、踵の修理等を行う際に、接着剤を塗布し本発明の電磁誘導加熱ヘッドで加熱し、必要に応じて圧着するなどである。
【００４６】
(9)本発明は、コイルやヘッドの交換・脱着により、前記装飾類の取り付けのほか、半田付けが可能になり、ローズ付けも可能となる。また、焼きコテのように使用して、木材，皮，菓子，樹脂等に刻印を押すことができる。また、複合物を部分的に加熱し、曲げ、狂いの修正を行うようにしてもよい。更に、２０ｍｍ以下の薄く細長い物を誘導加熱して曲げ、加圧・捩じる等を行うことで、任意の形にしてもよいし、２０ｍｍ以下の薄く大きい物の加工に利用してもよい。
【産業上の利用可能性】
【００４７】
本発明によれば、加工対象に接触させるヘッド本体の内側に、前記加工対象に接触させる部分に相当する範囲で誘導コイルを設けて電磁誘導加熱ヘッドを形成することとした。そして、電磁誘導加熱ヘッドを用い、前記誘導コイルに電流を流した状態で、加工対象に前記ヘッド本体を接触させると、該ヘッド本体の形状に沿って加工対象が変形するので、ボルト等の固定具を取り付けるための厚みの薄い凹部や曲面部分を、加工対象に形成するための電磁誘導加熱ヘッドの用途に適用できる。また、前記凹部の形成のみならず、加工対象への穴の形成，加工対象の軟化若しくは曲げ加工，あるいは、加工対象を接着剤を介して他の部材に接着するなどの各種の加工用途にも適用可能である。
【００４８】
更に、前記電磁誘導加熱ヘッドを用いることで、次のような効果があるため、加工装置の用途にも適用可能である。
(1)複数の電磁誘導加熱ヘッドを固定ヘッドに脱着可能に固定することで、加工の目的に対応してヘッドの交換が可能となる。
(2)回転可能かつ軸方向に往復駆動可能な主軸の先端に、前記電磁誘導加熱ヘッド及び他の工具を取り付けた主軸ヘッドを設けることで、凹部形成又は曲面加工に加え、穴開け加工などの他の加工を１つの加工装置で行うことが可能となる。
(3)電磁誘導加熱ヘッドによる加熱より軟化した加工材料を、プレス機によってプレス加工することで、大量生産にも対応可能となる。
【符号の説明】
【００４９】
１０：電磁誘導加熱ヘッド
１２，１２Ａ〜１２Ｈ：ヘッド本体
１４：平面部
１６：テーパー部
１７：曲面部
１８：底面
２０：取手
３０：誘導コイル
３０Ａ，３０Ｂ：端部
３２Ａ．３２Ｂ：リード線
３４：コード
４０：断熱パネル
４２：発泡体
４４Ａ，４４Ｂ：金属層
４６：凹部
４６Ａ：平面部
４６Ｂ：テーパー部
４７Ａ，４７Ｂ：凹部
４８，４８Ａ，４８Ｂ：穴
５０：固定具
５２：頭部
５４：軸部
６０：固定側部材
７０：支持部
７２：スリット
７４：空間
７６：ファン
７８：排気口
８０：パイプ
１００，１００Ａ：加工装置
１０２：主軸
１０４：主軸ヘッド
１０６：軸
１０８，１１０，１１０Ａ，１１０Ｂ：ドリル
１５０：加工装置
１５２：主軸
１５４：固定ベース
１５６：軸
２００：電磁誘導加熱ヘッド
２０２：軸
２０４：ヘッド本体
２０６：曲面
２０８：誘導コイル
２１０：金属層
２２０：受型
２２２：曲面
２２４：誘導コイル
２２６：金属層
２３０：加工対象
２３２：基板
２３４Ａ，２３４Ｂ：表面板
２５０：電磁誘導加熱ヘッド
２５２：軸
２５４：ヘッド本体
２５６：誘導コイル
２５８：金属層
２６０：加工対象
２７０：プレス機
２７２：上型
２７４：軸
２７６：曲面
２８０：下型
２８２：曲面
３００，３００Ａ，３００Ｂ：電磁誘導加熱ヘッド
３０２：ヘッド本体
３０４：誘導コイル
３０６：取手
３０８：金属層
３１０：加工対象
３１２：凹部
３１４：軟化部分
３１６：プレス機
３１８：彫刻
３２０：畳
３２２：芯材（木材）
３２４：裏打ち
３２６：畳表
３２８：接着剤
３３０：加工対象
３５０：加工対象
３５２：軟化部分
３６０：金棒
３６２：突起
【図１】
2015228323.tif 000003
【図２】
2015228323.tif 000004
【図３】
2015228323.tif 000005
【図４】
2015228323.tif 000006
【図５】
2015228323.tif 000007
【図６】
2015228323.tif 000008
【図７】
2015228323.tif 000009
【図８】
2015228323.tif 000010
【図９】
2015228323.tif 000011
【図１０】
2015228323.tif 000012
【図１１】
2015228323.tif 000013
【図１２】
2015228323.tif 000014
【図１３】
2015228323.tif 000015